(57)【要約】【課題】特別の設備を必要とせずに且つ時間をかけずにパネルとフレームとを容易に分離することができるパネル体を提供する。【解決手段】本発明に係るパネル体１は、パネル３ａと、パネル３ａの縁に取付けるフレーム５と、フレーム５とパネル３ａを接着する接着材１５と、フレーム５とパネル３ａとの間に配置する挿入材７とを備えており、挿入材７は少なくとも一部を接着材１５に埋設して且つ端部７ｂをパネル３ａとフレーム５の間から外側に食み出してある。分解するときには、挿入材７の端部７ｂを引くことにより、接着材１５を切断してパネル３ａとフレーム５との分離を容易にする。【選択図】図１
2012192130.tif 000002
【特許請求の範囲】
【請求項１】
パネルと、パネルの縁に取付けるフレームと、フレームとパネルを接着する接着材と、フレームとパネルとの間に配置する挿入材とを備え、挿入材は少なくとも一部を接着材に埋設して且つ端部をパネルとフレームの間から外側に食み出してあることを特徴とするパネル体。
【請求項２】
挿入材はパネルの略全周に亘って配置してあることを特徴とする請求項１に記載のパネル体。
【発明の詳細な説明】
【技術分野】
【０００１】
本発明は、パネルの縁にフレームを取付けたパネル体に関する。
【背景技術】
【０００２】
ガラス製のパネルの縁に樹脂製や金属製のフレームを取付けたパネル体では、パネル体を廃棄するときに、材料が異なるパネルとフレームとを分別して廃棄することにより、リサイクル資源の回収を容易にすることが望まれている。
しかし、パネルとフレームとは接着材により接着されている為、容易に分離し難いという問題があった。
これに対して、特許文献１の技術では、パネル体を廃棄するときにパネルとフレームとの間に溶剤を注入して接着材を溶かし、その後フレームとパネルとを分離することが開示されている。
また、特許文献２には、フレームとパネルを接着する接着材として加熱剥離型接着剤を用い、パネル体の廃棄時には、パネル体を温水に浸漬することにより接着材を軟化させた後、フレームとパネルとを分離することが開示されている。
【先行技術文献】
【特許文献】
【０００３】
【特許文献１】特開２００９−１２５１８６号公報
【特許文献２】特開２００９−１４８４２６号公報
【発明の概要】
【発明が解決しようとする課題】
【０００４】
しかし、特許文献１の技術では、溶剤が接着材に浸透して溶解するまでに時間がかかるという不都合がある。
また、特許文献２の技術では、パネル体を温水に浸漬させる為、浴層等の設備が必要になると共に接着材が軟化するまでに時間がかかるという問題がある。
【０００５】
そこで、本発明は、特別の設備を必要とせずに且つ時間をかけずにパネルとフレームとを容易に分離することができるパネル体の提供を目的とする。
【課題を解決するための手段】
【０００６】
請求項１に記載の発明は、パネルと、パネルの縁に取付けるフレームと、フレームとパネルを接着する接着材と、フレームとパネルとの間に配置する挿入材とを備え、挿入材は少なくとも一部を接着材に埋設して且つ端部をパネルとフレームの間から外側に食み出してあることを特徴とする。
【０００７】
請求項２に記載の発明は、請求項１に記載の発明において、挿入材はパネルの略全周に亘って配置してあることを特徴とする。
【発明の効果】
【０００８】
請求項１に記載の発明によれば、パネル体の廃棄時には、パネルとフレームとの間から食み出している挿入材の端部を引っ張り、接着材の少なくとも一部を挿入材で切断することにより接着材の接着力を弱めて、パネルとフレームとの分離を容易にする。
従って、本発明によれば、挿入材を引っ張るだけで瞬時に接着材を切断することができるから、特許文献２のように浴槽等の特別な設備を必要とせず且つ時間をかけずにパネルとフレームとを分離することができる。
接着材はその全てを切断するものであってもよいし、上述のように部分的に切断することにより接着力を弱めてからパネルとフレームとを分離するものであっても良い。
【０００９】
請求項２に記載の発明によれば、請求項１に記載の発明と同様な作用効果を奏すると共に、挿入材によりパネルの略全周に亘って接着材を切断できるから、パネルとフレームとの分離が更に容易である。
【図面の簡単な説明】
【００１０】
【図１】パネル体を図３に示すＡ−Ａ位置で切断した断面図である。
【図２】パネル体を図３に示すＢ−Ｂ位置で切断した断面図である。
【図３】本実施の形態にかかるパネル体の正面図である。
【図４】他の実施の形態にかかるパネル体を図３に示すＢ−Ｂ位置と同じ位置で切断して示す断面図である。
【発明を実施するための形態】
【００１１】
以下に、添付図面の図１〜図３を参照して本発明の実施の形態を説明する。本実施の形態にかかるパネル体１は、遊戯機器としてのパチンコ台に用いられるものであり、パチンコ台の前面に取付けてある。
図１に示すように、パネル体１は、２枚のパネル３ａ、３ｂと、フレーム５と、接着材１５と、挿入材７とを備えている。２枚のパネル３ａ、３ｂは共にガラス製であるが、一方のパネル３ａは強化ガラスであり、他方のパネル３ｂは普通ガラスである。また、２枚のパネル３ａ、３ｂは同一形状であり、互いに間隔をあけて配置されている。
【００１２】
フレーム５は、樹脂製（例えば、ＡＢＳ樹脂）であり、パネル３ａ、３ｂの縁の全周に亘って設けてある。フレーム５は、内周側に突設した突部１１と、パネル３ａ、３ｂの端面４に対向するパネル端面対向部１２とを有しており、パネル端面対向部１２は、突部１１の左右両側に各々設けてある。
接着材１５は、図２に示すように、フレーム５の一方の見付け面１３ａと一方のパネル３ａとの間に塗布されており、同様に、フレーム５の他方の見付け面１３ｂと他方のパネル３ｂとの間にも接着材１５が塗布されており、各パネル３ａ、３ｂをフレーム５に接着してある。
【００１３】
挿入材７及び接着材１５は、フレーム５と一方のパネル３ａとの間及びフレーム５と他方のパネル３ｂとの間に各々設けてあるが、同じ構成であるからフレーム５と一方のパネル３ａとの間に設けてある挿入材７及び接着材１５について説明し、フレーム５と他方のパネル３ｂとの間に設けてある挿入材７及び接着材１５について説明を省略する。
挿入材７は、ワイヤであり、一端部７ａを図３に示すように起点Ｅに配置して、図１に示すように、接着材１５の内周側に固定されている。図３に示すように、挿入材７はフレーム５の内周側で突部１１の先端に沿ってパネル３ａの略全周に亘って配置し、略一周したＡ−Ａ位置では、他端部（端部）７ｂをパネル３ａ端面４とフレーム５のパネル端面対向部１２との間から外側に食み出している。
挿入材７の他端部７ｂが外側に食み出している位置では、図１に示すように、挿入材７はフレーム５の内周側から外周側に位置して接着材１５に埋設されている。
【００１４】
次に、本実施の形態にかかるパネル体の製造、廃棄について説明する。
パネル体１の製造は、フレーム５の突部１１の一方の見付け面１３ａに接着材１５を塗布し、挿入材７をその一端部７ａからフレーム５の突部１１の先端で接着材１５に接触させつつフレームの長手方向に沿って配置する。フレーム７を略一周したところで、図１に示すように、フレーム５の突部１１の一方の見付け面１３ａに塗布した接着材１５を横断して配置し、更に挿入材７の他端部７ｂ側をフレーム５の外周側に食み出すように配置する。フレーム５の突部１１の他方のパネル３ｂ側においても同様にして接着材１５及び挿入材７を配置する。
接着材１５及び挿入材７を設けたフレーム５の一方の見付け面１３ａに一方のパネル３ａの端部を押し当てて、他方の見付け面１３ｂに他方のパネル３ｂの端部を押し当てると共にパネル端面４をフレーム５のパネル端面対向部１２に押し当てて、接着材１５により一方のパネル３ａ及び他方のパネル３ｂをフレーム５に接着固定する。
【００１５】
パネル体１の廃棄時には、フレーム５と一方のパネル３ａの間から食み出している挿入材７の他端部７ｂをパネル体１の周方向に沿って引っ張る。これにより、挿入材７はパネルの周方向に沿って順次接着材１５を切断するので、パネル体１の略全周に亘って接着材１５を切断後、フレーム５と一方のパネル３ａを分離する。同様にして、他方のパネル３ｂについてもフレーム５と他方のパネル３ｂの間から食み出している挿入材７の他端部７ｂをパネル体１の周方向に沿って引っ張ることにより、フレーム５と他方のパネル３ｂを分離する。
このように、ガラス製のパネル３ａ、３ｂと、樹脂製のフレーム５とを分離できるので、材料毎に分別した廃棄ができる。
【００１６】
本実施の形態によれば、挿入材７を引っ張るだけで瞬時に接着材１５を切断することができるから、特許文献２のように浴槽等の特別な設備を必要とせず且つ時間がかからずにパネル３ａ、３ｂとフレーム５とを分離することができる。
挿入材７によりパネル３ａ、３ｂの略全周に亘って接着材１５を切断できるから、パネル３ａ、３ｂとフレーム５との分離が容易にできる。
また、接着材１５は、フレーム５の一方の見付け面１３ａと一方のパネル３ａとの間のみ塗布してあり、一方のパネル３ａのパネル端面４とパネル端面対向部１２との間には塗布していないから、小さい力で接着材１５の切断ができる。
【００１７】
本発明は、上述した実施の形態に限らず、本発明の要旨を逸脱しない範囲で種々変形可能である。
例えば、図４に示すように、挿入材７は、接着材１５の内周側部に配置することに限らず、接着材１５の内周側と外周側との中間に埋め込むものであっても良い。この場合、挿入材７を引っ張った後に、フレーム５と各パネル３ａ、３ｂとを接着している接着材１５はその内周側部が切断されずに残るが、接着の強度が低下するので、フレーム５と各パネル３ａ、３ｂとを容易に分離することができる。
また、接着材１５は、フレーム５の一方の見付け面１３ａと一方のパネル３ａとの間のみ限らず、図４に示すように、一方のパネル３ａのパネル端面４とパネル端面対向部１２との間にも塗布しても良い。このように接着材１５を一方の見付け面１３ａとパネル端面対向部１２との２面に塗布することにより、フレーム５とパネル３ａとの接着強度を高めることができる。尚、他方のパネル３ｂについても同様である。
挿入材７は、パネル３ａ、３ｂの周囲全体に亘って配置することに限らず、パネル３ａ、３ｂの周囲に複数の挿入材７を間隔をあけて設けると共に各挿入材７を周囲方向に沿って部分的に配置し、パネル体１の廃棄時には、パネル体１の周方向において接着材１５を間欠的に切断して、フレーム５と各パネル３ａ、３ｂとの接着強度を低下させるものであっても良い。
接着材１５をフレーム５の全周に設けることなく、所定のピッチで配置して、接着材１５でフレーム５とパネル３ａ、３ｂを接着している箇所にのみ挿入材を配置するものであっても良い。
挿入材７は、ワイヤ等の策条体に限らず、帯状の部材であってもよいし、その形状や材質は制限されない。
パネル体１は、フレーム５の両側に２枚のパネル３ａ、３ｂを設けることに限らず、フレーム５には一枚のパネル３ａのみを接着材１５で固定するものであっても良い。
パネル体１は、サッシやドア用に用いるものであっても良く、用途は問わない。
【符号の説明】
【００１８】
１    パネル体
３ａ、３ｂ  パネル
５    フレーム
７    挿入材
７ｂ  他端部（端部）
１５  接着材
【図１】
2012192130.tif 000003
【図２】
2012192130.tif 000004
【図３】
2012192130.tif 000005
【図４】
2012192130.tif 000006